(57)【特許請求の範囲】
【請求項１】
便器と、該便器に載置される便座と、回動可能な便蓋と、人体を検知する人体検知センサと、前記便蓋の回動を制動する調速装置とを備え、該調速装置はオイルが封入されたオイル空間部を有し、該調速装置の調速装置ケース内に、便蓋と結合された便蓋回転軸と、該回転軸の一方向に前記オイルの粘性抵抗によって制動をかける調速手段と、前記調速装置に前記便蓋回転軸に配設された被検出体を備え、前記調速装置ケースに前記被検出体近傍に配設された検知センサを備え、
前記便蓋回転軸は、放射方向に突設された２本の突起部と、該突起部に貫設された貫設孔と、該貫設孔に遊嵌される弁体とを有し、
前記被検出体は、前記した一方の突起部の外側の側面に設置され、
前記検知センサは、前記調速装置と離間した前記被検出体と対向する位置に設置され、前記便蓋回転軸が開方向に回転したときに、前記弁体と前記貫設孔との間隙が開いて該間隙に前記調速装置のオイルが流れることにより該オイルの粘性抵抗による制動力が作用しないように前記弁体が変位し、前記便蓋回転軸が閉方向に回転したときに、前記弁体と前記貫設孔との間隙が閉じて前記オイルの粘性抵抗による制動力が作用するように前記弁体が変位し、
前記便蓋回転軸の回転によって、前記便蓋回転軸に配設された前記被検出体と前記検知センサとの相対距離が変化し、該相対距離の変化を前記検知センサによって検知することで前記便蓋の開き角度を検知することを特徴とする便器装置。
【請求項２】
前記便蓋の閉位置は前記便蓋の開き角度θ＝０°であり、前記便蓋の開位置は前記便蓋の開き角度θ＝６５°である、ことを特徴とする請求項１に記載の便器装置。
【発明の詳細な説明】
【０００１】
【発明の属する技術分野】
本発明は、便座と便蓋等の回動体に制動力を与え、回動体の速度を調速する調速する調速装置及びその調速装置を備えた便器装置に関するものである。
【０００２】
【従来の技術】
従来より、便器装置には洗浄機能やヒータ及び脱臭機構などが付加されていて、それらを着座センサ等を用いて制御している。この着座センサは、発光部と受光部から光が遮られると着座検出し、その検出位置によって洗浄機構などを作動可能としている。また便器の蓋などに用いられている便蓋落下回動を緩和させる調速装置においては、着座センサ（人体検知センサ）の制御には関与しておらず、また着座センサも常時作動（スイッチオン）状態になっているので、便蓋が閉じ状態にあっても作動してしまい洗浄機構の誤動作の原因となっていた。これを解決する回動体の調速装置として特開平６−１２３１８７号公報がある。これは便蓋等の回動体の位置に応じて物体を検知する着座センサの作動状態を切り換え制御して誤作動の防止を行うために、開閉自在に支持された回動体の一方向に制動をかける回動体の調速装置において、回動体の開閉に連動し、物体の存在を検知する検知手段を回動体の開状態で作動させ、検知手段を回動体の閉状態で停止させるスイッチ手段を有する構成の技術が開示されている。
【０００３】
【発明が解決しようとする課題】
しかしながら、本技術においては、リードスイッチとマグネットをケースに固定し、その間をマグネットの磁力を遮るシールド板を可動させてリードスイッチをオンオフさせる構造であり、シールド板が必要となり、そのシールド板のスペースが必要となる。また部品点数が多いことからコスト的に不利となる。
【０００４】
本発明は上記課題を解決したもので、シールド板が不要となり、またシールド板のスペースが不要となるため、コンパクトで部品点数を減らすことができ、コスト的に有利となる回動体の調速装置を提供するものである。
【０００８】
【課題を解決するための手段】
上記技術的課題を解決するために、本発明の請求項１において講じた技術的手段は、便器と、該便器に載置される便座と、回動可能な便蓋と、人体を検知する人体検知センサと、前記便蓋の回動を制動する調速装置とを備え、該調速装置はオイルが封入されたオイル空間部を有し、該調速装置の調速装置ケース内に、便蓋と結合された便蓋回転軸と、該回転軸の一方向に前記オイルの粘性抵抗によって制動をかける調速手段と、前記調速装置に前記便蓋回転軸に配設された被検出体を備え、前記調速装置ケースに前記被検出体近傍に配設された検知センサを備え、前記便蓋回転軸は、放射方向に突設された２本の突起部と、該突起部に貫設された貫設孔と、該貫設孔に遊嵌される弁体とを有し、前記被検出体は、前記した一方の突起部の外側の側面に設置され、前記検知センサは、前記調速装置と離間した前記被検出体と対向する位置に設置され、前記便蓋回転軸が開方向に回転したときに、前記弁体と前記貫設孔との間隙が開いて該間隙に前記調速装置のオイルが流れることにより該オイルの粘性抵抗による制動力が作用しないように前記弁体が変位し、前記便蓋回転軸が閉方向に回転したときに、前記弁体と前記貫設孔との間隙が閉じて前記オイルの粘性抵抗による制動力が作用するように前記弁体が変位し、前記便蓋回転軸の回転によって、前記便蓋回転軸に配設された前記被検出体と前記検知センサとの相対距離が変化し、該相対距離の変化を前記検知センサによって検知することで前記便蓋の開き角度を検知する、ことを特徴とする。
【０００９】
上記技術的課題を解決するために、本発明の請求項２において講じた技術的手段は、前記便蓋の閉位置は前記便蓋の開き角度θ＝０°であり、前記便蓋の開位置は前記便蓋の開き角度θ＝６５°である、ことを特徴とする。
【００１０】
即ち、便器装置に備えられた調速装置内の検知センサをシールドするシールド板が不要となり、またシールド板のスペースが不要となるため、コンパクトで部品点数を減らすことができ、コスト的に有利となる便器装置となる効果を有する。また、便蓋の開閉に連動して、人体検知センサを作動することができる。
【００１１】
【発明の実施の形態】
以下、本発明の実施例について、図面に基づいて説明する。
【００１２】
本例の回動体の調速装置は、人体の局部を洗浄する便器装置に取付けられた調速装置を実施例として説明する。本実施例の便器装置１は、図１に示すごとく、温水洗浄手段６と温風乾燥手段とを有する本体１０と、本体１０に設けた本体スイッチパネル２とよりなる。
【００１３】
上記各手段は本体スイッチパネル２により操作できるように構成してある。上記本体１０は、洗浄ノズル６１、６２等よりなる温水洗浄手段６、温風乾燥手段（図示略）を有している。また本体１０は、便座８１、便蓋８２を備え、陶器製便器８３の上方に配置してある。
【００１４】
また、本体１０の側部上面には、上記本体スイッチパネル２を配置してある。
【００１５】
本体スイッチパネル２は、肛門洗浄、ビデ洗浄、温風乾燥等の作動をストップさせるストップボタン２０、肛門洗浄用操作ボタン２１、ソフトな洗浄が可能なソフト肛門洗浄用操作ボタン２９、ビデ洗浄用操作ボタン２２、温風を吹き出させるドライボタン２３が配設されている。
【００１６】
また、便座の温度の高さを調整するための便座ボタン３０、シャワー等の水温を調整する温水ボタン３１が配置されている。さらに、図示されていないが、洗浄の広がりを調整するためのワイド洗浄入／切ボタン、洗浄位置前進ボタン、その後退ボタンが配設されている。また、洗浄強さを調整する強、弱ボタンからなる洗浄強さボタン、また人体の有無を検知する人体検知センサＳが本体１０の側部上面に配設されている。さらに図示しないが、後述する前記温水用発熱ヒータあるいは便座用発熱ヒータの付勢を選択可能とするスイッチボタンを便器装置に備えている。それゆえ、通常モードから節電モードへの切り換え（あるいは逆）を選択可能とすることができる。
【００１７】
図１に示すように便蓋８２と便座８１の回動部周辺には、便蓋回転軸２０１と便座回転軸２０５とが同軸上となっている。便蓋８２と結合している便蓋回転軸２０１及び便座８１と結合している便座回転軸２０５は、それぞれ便蓋８２及び便座８１の閉方向の制動をかける調速装置３００が配設されている。
【００１８】
図２（ａ）は調速装置３００の部分断面図であり、図３は図２（ａ）のＡ方向からみた図（基板４００は省略）であり、図２（ｂ）は、図３のＢ−Ｂ線断面図である。
【００１９】
図２（ａ）に示すように、この調速装置３００の調速ケースは、組付け上３０１、３０２、３０３の３部材から構成される調速装置ケース３０４からなる。調速ケース３０４内には便蓋８２と結合された便蓋回動体２０１及び便座８１と結合された便座回動体２０５が一部収納されている。また便蓋回転軸２０１の一方向に制動をかける調速手段３０５、３０６が形成されている。この調速手段３０５、３０６はオイル空間部３０５、３０６が形成されている。オイル空間部３０５、３０６には粘性を有するシリコンオイル等のオイルが封入されている。
【００２０】
図２（ｂ）、図３及び図５（図３の拡大詳細説明図）に示すように、便蓋回転軸２０１には放射方向に突起部２０１ａが２本突設されている。この突起部２０１ａの回転方向には、突起部２０１ａに貫設された貫設孔２０１ｂに弁体２０１ｃが便蓋回転軸２０１の回転方向に自由に動くことができるように遊嵌されている。
【００２１】
ここで図４に示すように、弁体２０１ｃは便蓋回転軸２０１をＡ方向（便蓋開方向）に回転したときは弁体２０１ｃと貫設孔２０１ｂとの間が開き、オイルがその間隙を流れることにより、制動力が働かない。さらに、便蓋回転軸２０１をＡ方向に回転すると弁体爪部２０１ｄと貫設孔とが当接され弁体２０１ｃは止められる。
【００２２】
一方弁体２０１ｃをＢ方向（便蓋閉方向）に回転したとき、弁体２０１ｃにより貫設孔２０１ｂがシールされ、さらにＢ方向に回転したとき、オイルの抵抗によりＢ方向に対する制動力が働く。
【００２３】
また便座回転軸２０５も便蓋回転軸２０１と同様に調速手段３０６内に配設されている弁体と貫設孔により便座回転閉方向に制動力が働く構造となっている。
【００２４】
図5は検知センサ４０１と被検出体５００との関係を表わした説明図である。便蓋回転軸２０１には、前記検知センサ４０１の近傍にはマグネットからなる被検出体５００が配設されている。便蓋回転軸２０１の調速装置ケース３０５側での他端３０１には基板４００が基板固定ネジＳＫにより固定されている。この基板にはホールＩＣあるいはリードスイッチからなる検知センサ４０１が配設され、この検知センサ４０１に図示しないリード線により便器装置のマイコン制御装置に便蓋８２の開閉状態の信号を送る。なお、調速装置ケース３０５の他端３０１はケース本体をネジＳＨによって３０１、３０２、３０３が止め付けられている。
【００２５】
リード線はリード線ハンダ孔４０１が基板４００に複数形成されている。基板は4本の基板固定ネジＳＫによって固定されている。
【００２６】
図５において、便蓋回転軸２０１の回転によるＡ位置は便蓋８２の開き角度θ＝０°、Ｂ位置は便蓋８２の開き角度θ＝６５°の被検出体５００の位置を表わした図である。
【００２７】
この構造により、検出センサ４０１は被検出体５００のＡ位置での近接状態から、Ｂ位置の離脱状態において便蓋８３の開閉を検知するようになっている。
【００２８】
【発明の効果】
本発明は、以下の如く効果を有する。
【００２９】
即ち、調速装置ケース内に、回動体と結合された回転軸と、該回転軸の一方向に制動をかける調速手段と、前記回転軸に配設された被検出体とを備え、前記調速装置ケースに前記被検出体近傍に配設された検知センサを配設し、該検知センサは、前記回転軸の少なくとも異なる２位置とを検知することを特徴とする調速装置であるので、シールド部材が不要となり、そのシールド部材のスペースが不要となることにより、コンパクトになり、部品点数を減らすことができ、コスト的に有利となるといった効果を有する。
【図面の簡単な説明】
【図１】本発明の便器装置の全体斜視図。
【図２】（ａ）は本発明の調速装置部分断面図。（ｂ）は図３の調速装置のＢ―Ｂ断面図。
【図３】図２（ａ）のＡ方向から見た基板を外した状態の部分断面図。
【図４】便蓋回転軸に突起部を設け、突起部の貫設孔に弁体が遊嵌された状態を表わした斜視図。
【図５】本発明の検知センサと被検出体（マグネット）との関係を表わした説明図。
【符号の説明】
８３…便器
８１…便座
８２…便蓋（回動体）
２０１…便蓋回転軸（回転軸）
３０５、３０６…調速手段
４０１…検知センサ
５００…被検出体
３０４…調速装置ケース
３００…調速装置
１…便器装置
【図１】
0004356124.tif 000002
【図２】
0004356124.tif 000003
【図３】
0004356124.tif 000004
【図４】
0004356124.tif 000005
【図５】
0004356124.tif 000006